(57)【特許請求の範囲】
【請求項１】
複数の品種の被計量物を混合して組合せ計量すると共に、混合された前記複数の品種の被計量物を、大袋に纏められる小袋として包装する包装機へ排出する混合計量用組合せ秤であって、
前記複数の品種の内の一つの品種の被計量物の目標組合せ重量として、第１の目標組合せ重量と第２の目標組合せ重量とが設定される設定手段と、
供給される前記被計量物を一時保持して排出する複数のホッパと、
前記複数のホッパから排出される被計量物を前記包装機へ排出する排出手段と、
運転中に、前記複数のホッパに供給される被計量物の重量に基づいて、前記第１の目標組合せ重量と前記第２の目標組合せ重量とを交互に切換えて組合せ演算を行うと共に、該組合せ演算では、前記一つの品種以外の他の品種の被計量物によって、前記複数の品種の被計量物の組合せ重量を合計した全体の組合せ重量が、所定重量範囲内となるように補正する組合せ演算手段と、
前記組合せ演算手段の組合せ演算の結果に基づいて、前記複数のホッパの排出を制御する制御手段とを備え、
前記組合せ演算手段は、被計量物を排出すべきホッパの組合せとして、前記第１の目標組合せ重量に対応する第１の混合比率で前記複数の品種の被計量物を組合せた第１の排出組合せと、前記第２の目標組合せ重量に対応する第２の混合比率で前記複数の品種の被計量物を組合せた第２の排出組合せとを、交互に選択し、
前記制御手段は、前記組合せ演算手段で選択された前記第１の排出組合せのホッパの被計量物と、前記第２の排出組合せのホッパの被計量物とを、交互に排出させる、
ことを特徴とする混合計量用組合せ秤。
【請求項２】
複数の品種の被計量物を混合して組合せ計量すると共に、混合された前記複数の品種の被計量物を、大袋に纏められる小袋として包装する包装機へ排出する混合計量用組合せ秤であって、
前記複数の品種の内の一つの品種の被計量物の目標組合せ個数として、第１の目標組合せ個数と第２の目標組合せ個数とが設定されると共に、前記複数の各品種の被計量物の単体重量が設定される設定手段と、
供給される前記被計量物を一時保持して排出する複数のホッパと、
前記複数のホッパから排出される被計量物を前記包装機へ排出する排出手段と、
運転中に、前記複数のホッパに供給される被計量物の重量及び前記単体重量に基づいて、前記第1の目標組合せ個数と前記第２の目標組合せ個数とを交互に切換えて組合せ演算を行うと共に、該組合せ演算では、前記一つの品種以外の他の品種の被計量物によって、前記複数の品種の被計量物の組合せ個数を合計した全体の組合せ個数が、所定個数範囲内となるように補正する組合せ演算手段と、
前記組合せ演算手段の組合せ演算の結果に基づいて、前記複数のホッパの排出を制御する制御手段とを備え、
前記組合せ演算手段は、被計量物を排出すべきホッパの組合せとして、前記第１の目標組合せ個数に対応する第１の混合比率で前記複数の品種の被計量物を組合せた第１の排出組合せと、前記第２の目標組合せ個数に対応する第２の混合比率で前記複数の品種の被計量物を組合せた第２の排出組合せとを、交互に選択し、
前記制御手段は、前記組合せ演算手段で選択された前記第１の排出組合せのホッパの被計量物と、前記第２の排出組合せのホッパの被計量物とを、交互に排出させる、
ことを特徴とする混合計量用組合せ秤。
【請求項３】
前記排出手段は、前記第１の排出組合せ及び前記第２の排出組合せにそれぞれ対応する第１の排出経路及び第２の排出経路を有し、
前記制御手段は、前記組合せ演算手段で選択された前記第１の排出組合せのホッパの被計量物と、前記第２の排出組合せのホッパの被計量物とを、対応する前記第１の排出経路と前記第２の排出経路とへ交互に排出させる、
請求項１または２に記載の混合計量用組合せ秤。
【発明の詳細な説明】
【技術分野】
【０００１】
本発明は、複数の異なる品種の被計量物をミックスし、ミックスした全体がほぼ所定量となるように計量する、いわゆるミックス計量を行う混合計量用組合せ秤に関する。
【背景技術】
【０００２】
従来、複数の異なる品種の被計量物をミックスし、ミックスした全体の重量が所定重量範囲内となるように計量する、いわゆるミックス計量を行う混合計量用組合せ秤がある（例えば、特許文献１参照）。
【０００３】
図７（ａ）は、かかる従来の混合計量用組合せ秤の概略側面図であり、図７（ｂ）は、その組合せ秤の計量ホッパ及び集合シュートの概略平面図である。
【０００４】
この混合計量用組合せ秤では、例えば、円状に配列された複数の計量ホッパ２０の下方に単一の集合シュート２１が配置されている。例えば、２品種の被計量物をミックス計量して排出する場合、複数の計量ホッパ２０を各品種に対応するグループＧ１，Ｇ２に分けて、各グループの計量ホッパ２０には、それぞれのグループに対応する品種の被計量物が分散フィーダ２２からリニアフィーダ２３及び供給ホッパ２４を介して供給される。そして、グループ毎（品種毎）に被計量物の重量の組合せ計量を行うと共に、全品種を合わせた全体重量についても組合せ計量を行うことにより、全ての品種の各々について排出すべき計量ホッパ２０の組合せを求める。この組合せに選択された計量ホッパ２０から同時に被計量物が排出され、この排出された被計量物は、集合シュート２１を滑り落ち、集合シュートの排出口２１ａから、例えば、包装機へ投入される。
【先行技術文献】
【特許文献】
【０００５】
【特許文献１】特開平７−１９８４６６号公報
【発明の概要】
【発明が解決しようとする課題】
【０００６】
一般に、混合計量用組合せ秤から排出される複数の品種が混合された被計量物は、包装機で包装されて製品とされる。この製品の各品種の被計量物の混合割合である混合比率を変更したい場合がある。
【０００７】
かかる場合に、従来の混合計量用組合せ秤では、運転を一旦停止して混合比率に応じたプログラムに設定を変更して運転を再開する必要があり、このため、稼動率が低下するという課題がある。
【０００８】
また、例えば、包装機で包装された製品を小袋とし、この小袋の所定数を纏めて包装して大袋の製品とするような場合がある。かかる場合に、混合比率が異なる小袋を混ぜて大袋の製品を生産したいときがある。
【０００９】
このように混合比率の異なる小袋を、１台の混合計量用組合せ秤を用いて生産する場合には、混合比率の異なる小袋の生産の度に、混合計量用組合せ秤の運転を停止して混合比率に応じたプログラムに設定を変更して運転を再開しなければならず、稼動率の低下が一層顕著になる。
【００１０】
したがって、混合計量用組合せ秤の運転を停止することなく、混合比率の異なる小袋の生産ができるようにすることが望まれる。
【００１１】
本発明は、上述のような点に鑑みてなされたものであって、複数の品種の被計量物を混合したミックス計量において、稼働率を低下させることなく、混合比率の異なるミックス計量を行えるようにすることを目的とする。
【課題を解決するための手段】
【００１２】
上記目的を達成するために、本発明では、次のように構成している。
【００１３】
（１）本発明の混合計量用組合せ秤は、複数の品種の被計量物を混合して組合せ計量すると共に、混合された前記複数の品種の被計量物を、大袋に纏められる小袋として包装する包装機へ排出する混合計量用組合せ秤であって、前記複数の品種の内の一つの品種の被計量物の目標組合せ重量として、第１の目標組合せ重量と第２の目標組合せ重量とが設定される設定手段と、供給される前記被計量物を一時保持して排出する複数のホッパと、前記複数のホッパから排出される被計量物を前記包装機へ排出する排出手段と、運転中に、前記複数のホッパに供給される被計量物の重量に基づいて、前記第1の目標組合せ重量と前記第２の目標組合せ重量とを交互に切換えて組合せ演算を行うと共に、該組合せ演算では、前記一つの品種以外の他の品種の被計量物によって、前記複数の品種の被計量物の組合せ重量を合計した全体の組合せ重量が、所定重量範囲内となるように補正する組合せ演算手段と、前記組合せ演算手段の組合せ演算の結果に基づいて、前記複数のホッパの排出を制御する制御手段とを備え、前記組合せ演算手段は、被計量物を排出すべきホッパの組合せとして、前記第１の目標組合せ重量に対応する第１の混合比率で前記複数の品種の被計量物を組合せた第１の排出組合せと、前記第２の目標組合せ重量に対応する第２の混合比率で前記複数の品種の被計量物を組合せた第２の排出組合せとを、交互に選択し、前記制御手段は、前記組合せ演算手段で選択された前記第１の排出組合せのホッパの被計量物と、前記第２の排出組合せのホッパの被計量物とを、交互に排出させる。
【００１４】
本発明の混合計量用組合せ秤によると、少なくとも一つの品種について、設定手段に複数の目標組合せ重量を設定することにより、運転中には、前記複数の目標組合せ重量を切換えて組合せ演算を行うので、目標組合せ重量に対応した混合比率でミックス計量された被計量物を、各目標組合せ重量にそれぞれ対応して複数得ることができる。しかも、組合せ演算では、目標組合せ重量を切換える品種以外の他の品種の被計量物によって、複数の品種の被計量物の組合せ重量を合計した全体の組合せ重量が、所定重量範囲内となるように補正するので、得られる複数のミックス計量された被計量物は、いずれもその組合せ重量が、所定重量範囲内となる。
【００１５】
これによって、当該混合計量用組合せ秤の運転を一旦停止させて混合比率の異なるプログラムに設定変更することなく、すなわち、稼働率を低下させることなく、所定重量範囲内であって、混合比率が異なる複数のミックス計量された被計量物を得ることができる。
【００１７】
本発明によると、組合せ演算手段は、第１の目標組合せ重量と第２の目標組合せ重量とを交互に切換えて行う組合せ演算の度に、目標組合せ重量に対応した混合比率でミックス計量された被計量物のホッパを、被計量物を排出すべきホッパの組合せである排出組合せとして選択し、制御手段は、前記排出組合せのホッパの被計量物を排出させ、排出手段を介して包装機に投入することができ、これによって、包装機では、排出組合せのホッパの被計量物、すなわち、所定重量範囲内であって、目標組合せ重量に対応した混合比率でミックス計量された被計量物を包装して製品とすることができる。
【００２１】
本発明によると、全体の組合せ重量は、所定重量範囲内であって、かつ、第１の混合比率でミックス計量された被計量物と第２の混合比率でミックス計量された被計量物とを交互に包装機へ排出することができ、これによって、包装機では、第１の混合比率の被計量物を包装した小袋と第２の混合比率の被計量物を包装した小袋とを交互に生産することができる。
【００２２】
（２）本発明の混合計量用組合せ秤は、複数の品種の被計量物を混合して組合せ計量すると共に、混合された前記複数の品種の被計量物を、大袋に纏められる小袋として包装する包装機へ排出する混合計量用組合せ秤であって、前記複数の品種の内の一つの品種の被計量物の目標組合せ個数として、第１の目標組合せ個数と第２の目標組合せ個数とが設定されると共に、前記複数の各品種の被計量物の単体重量が設定される設定手段と、供給される前記被計量物を一時保持して排出する複数のホッパと、前記複数のホッパから排出される被計量物を前記包装機へ排出する排出手段と、運転中に、前記複数のホッパに供給される被計量物の重量及び前記単体重量に基づいて、前記第1の目標組合せ個数と前記第２の目標組合せ個数とを交互に切換えて組合せ演算を行うと共に、該組合せ演算では、前記一つの品種以外の他の品種の被計量物によって、前記複数の品種の被計量物の組合せ個数を合計した全体の組合せ個数が、所定個数範囲内となるように補正する組合せ演算手段と、前記組合せ演算手段の組合せ演算の結果に基づいて、前記複数のホッパの排出を制御する制御手段とを備え、前記組合せ演算手段は、被計量物を排出すべきホッパの組合せとして、前記第１の目標組合せ個数に対応する第１の混合比率で前記複数の品種の被計量物を組合せた第１の排出組合せと、前記第２の目標組合せ個数に対応する第２の混合比率で前記複数の品種の被計量物を組合せた第２の排出組合せとを、交互に選択し、前記制御手段は、前記組合せ演算手段で選択された前記第１の排出組合せのホッパの被計量物と、前記第２の排出組合せのホッパの被計量物とを、交互に排出させる。
【００２３】
本発明の混合計量用組合せ秤によると、少なくとも一つの品種について、設定手段に複数の目標組合せ個数を設定することにより、運転中には、前記複数の目標組合個数を切換えて組合せ演算を行うので、目標組合せ個数に対応した混合比率でミックス計量された被計量物を、各目標組合せ個数にそれぞれ対応して複数得ることができる。しかも、組合せ演算では、目標組合せ個数を切換える品種以外の他の品種の被計量物によって、複数の品種の被計量物の組合せ個数を合計した全体の組合せ個数が、所定個数範囲内となるように補正するので、得られる複数のミックス計量された被計量物は、いずれもその組合せ個数が、所定個数範囲内となる。
【００２４】
これによって、当該混合計量用組合せ秤の運転を一旦停止させて混合比率の異なるプログラムに設定変更することなく、すなわち、稼働率を低下させることなく、所定個数範囲内であって、混合比率が異なる複数のミックス計量された被計量物を得ることができる。
【００２５】
（３）本発明の混合計量用組合せ秤の他の実施態様では、前記排出手段は、前記第１の排出組合せ及び前記第２の排出組合せにそれぞれ対応する第１の排出経路及び第２の排出経路を有し、前記制御手段は、前記組合せ演算手段で選択された前記第１の排出組合せのホッパの被計量物と、前記第２の排出組合せのホッパの被計量物とを、対応する前記第１の排出経路と前記第２の排出経路とへ交互に排出させる。
【００２６】
この実施態様によると、目標組合せ重量または目標組合せ個数を交互に切換えて行う組合せ演算の度に、混合比率の異なる排出組合せが選択され、選択された排出組合せ毎、すなわち、混合比率毎に、対応する排出経路を介して包装機へ被計量物を投入することができるので、ミックス計量された被計量物をその混合比率毎に、対応する排出経路へ排出して包装機に投入することができ、異なる混合比率でミックス計量された被計量物を小袋としてそれぞれ包装することができる。
【発明の効果】
【００２８】
本発明によると、当該混合計量用組合せ秤の運転を一旦停止させて混合比率の異なるプログラムに設定変更することなく、すなわち、稼働率を低下させることなく、全体の組合せ重量または組合せ個数が所定範囲内であって、混合比率が異なる複数のミックス計量された被計量物を得ることができる。
【図面の簡単な説明】
【００２９】
【図１】図１は本発明の一実施形態の混合計量用組合せ秤を模式的に示す図であり、同図（ａ）は混合計量用組合せ秤を側方から見た一部断面の概略模式図、同図（ｂ）は、混合計量用組合せ秤の２つの集合シュート及び計量ホッパを上方から見た概略模式図、同図（ｃ）は、混合計量用組合せ秤の分散フィーダを上方から見た概略模式図である。
【図２】図２は、図１の計量ホッパ５の形状を模式的に示す図である。
【図３】図３は図１の混合計量用組合せ秤の動作を説明するためのフローチャートである。
【図４】図４は図３の組合せ演算の詳細を示すフローチャートである。
【図５】図５は排出命令信号による排出制御を示すフローチャートである。
【図６】図６は本発明の他の実施形態の混合計量用組合せ秤を模式的に示す図であり、同図（ａ）は混合計量用組合せ秤を側方から見た一部断面の概略模式図、同図（ｂ）は、混合計量用組合せ秤の集合シュート及び計量ホッパを上方から見た概略模式図、同図（ｃ）は、混合計量用組合せ秤の分散フィーダを上方から見た概略模式図である。
【図７】図７は従来例の混合計量用組合せ秤を模式的に示す図であり、同図（ａ）は混合計量用組合せ秤を側方から見た一部断面の概略模式図、同図（ｂ）は、混合計量用組合せ秤の集合シュート及び計量ホッパを上方から見た概略模式図である。
【発明を実施するための形態】
【００３０】
以下、図面によって本発明の実施形態について詳細に説明する。
【００３１】
（実施形態１）
図１（ａ）は、本発明の一実施形態に係る混合計量用組合せ秤を側方から見た一部断面の概略模式図であり、図１（ｂ）は、同組合せ秤の２つの集合シュート及び計量ホッパを上方から見た概略模式図であり、図１（ｃ）は、同組合せ秤の分散フィーダを上方から見た概略模式図である。
【００３２】
この実施形態の混合計量用組合せ秤（以下、単に「組合せ秤」ともいう）は、図１（ａ）に示すように、装置中央に配設されたセンター基体（ボディ）１の上部に、外部の供給装置（図示せず）から供給される被計量物を振動によって放射状に分散させる円錐形の分散フィーダ２が設けられている。分散フィーダ２の周囲には、分散フィーダ２から送られてきた被計量物を振動によって各供給ホッパ３に送り込むための複数のリニアフィーダ４が設けられている。各リニアフィーダ４の下方には、供給ホッパ３、計量ホッパ５がそれぞれ対応して設けられ、複数の供給ホッパ３及び計量ホッパ５はそれぞれセンター基体１の周囲に円状に配置されている。分散フィーダ２、リニアフィーダ４、供給ホッパ３及び計量ホッパ５は、センター基体１に取り付けられている。また、各計量ホッパ５には、計量ホッパ５内の被計量物の重量を計量するロードセル等の重量センサ６が取り付けられ、各重量センサ６による計量値は、センター基体１内に配設された制御装置１０へ出力される。
【００３３】
円状に列設された計量ホッパ５の下方には、略逆円錐状の内側シュート７が配設されると共に、内側シュート７の周囲には、上部開口が同心円状の外側シュート８が配設されている。各シュート７，８は、それぞれ下部排出口７ａ，８ａをそれぞれ有している。各計量ホッパ５は、その下方の内側シュート７と外側シュート８とへ選択的に被計量物を排出可能なようにゲートが設けられた構成である。図２は、各計量ホッパ５の実物に近い形状を模式的に示す図であり、この図２に示すように、各計量ホッパ５には、内側シュート７へ被計量物を排出するためのゲート５ａと、外側シュート８へ被計量物を排出するためのゲート５ｂとが設けられている。
【００３４】
この組合せ秤の下方には、各シュート７，８の下部排出口７ａ，８ａに対応する、例えば２台の包装機が配置されており、排出手段を構成する２つのシュート７，８を介して排出される被計量物は、それぞれ異なる排出経路を経て各包装機へ投入され、包装機でそれぞれ包装される。
【００３５】
この実施形態では、一例として２つの第１，第２の品種Ａ、Ｂの被計量物をミックス計量して２台の包装機へ排出し、２台の包装機で小袋の製品を生産する場合に適用して説明する。ミックス計量される各品種の被計量物は、特に限定されないが、例えば、ピーナツとおかき、あるいは、品種の異なるキャンディ同士などのミックス計量に好適である。
【００３６】
ここでは、図１（ｂ）に示す第１のグループＧ１の計量ホッパ５には、第１の品種Ａの被計量物が供給され、第２のグループＧ２の計量ホッパ５には、第２の品種Ｂの被計量物が供給されるように構成されている。すなわち、図１（ｃ）に示すように、分散フィーダ２上に、異なる品種Ａ，Ｂの被計量物が混じらないようにするための仕切り板９が配設され、分散フィーダ２上の領域が仕切り板９によって２つの第１，第２の領域２ａ，２ｂに区画されている。外部の供給装置から、第１の領域２ａに第１の品種Ａの被計量物が供給され、第２の領域２ｂに第２の品種Ｂの被計量物が供給される。分散フィーダ２の第１の領域２ａに供給された第１の品種Ａの被計量物は、リニアフィーダ４及び供給ホッパ３を介して第１のグループＧ１の計量ホッパ５に供給される。同様に、分散フィーダ２の第２の領域２ｂに供給された第２の品種Ｂの被計量物は、リニアフィーダ４及び供給ホッパ３を介して第２のグループＧ２の計量ホッパ５に供給される。
【００３７】
制御装置１０は、例えばマイクロコンピュータによって構成され、各フィーダ２，４や各ホッパ３，５等の各部を制御して組合せ秤全体の動作を制御する。また、制御装置１０は、組合せ演算手段としての機能を有し、各重量センサ６からの計量値に基づいて、後述する組合せ演算を行うことにより、排出手段としての各シュート７，８に対して、被計量物を排出すべき計量ホッパ５の組合せである排出組合せを決定する。
【００３８】
この制御装置１０に対して、種々の操作設定を行う操作設定表示部１１は、例えばタッチパネル等を用いて構成され、組合せ秤の操作および後述の複数の目標組合せ重量等を含む運転パラメータ等の設定を行なうと共に、運転速度や組合せ秤計量値等を画面に表示する。
【００３９】
この実施形態では、上述のように、２つの第１，第２の品種Ａ、Ｂの被計量物をミックス計量するのであるが、両品種Ａ，Ｂの被計量物を、異なる混合比率でミックス計量するものである。すなわち、この実施形態では、交互に、第１の混合比率と第２の混合比率となるようにミックス計量を行うものである。
【００４０】
そして、第１の混合比率でミックス計量された被計量物は、例えば、一方の排出経路を構成する内側シュート７に排出し、第２の混合比率でミックス計量された被計量物は、他方の排出経路を構成する外側シュート８に排出し、各シュート７，８に対応する２台の包装機に投入され、各包装機によって、第１の混合比率の小袋と第２の混合比率の小袋とがそれぞれ生産される。
【００４１】
その後、混合比率の異なる２種類の小袋は、例えば、各種類の小袋が同数となるように所定数ずつ纏められて包装され、大袋の製品とされる。
【００４２】
このように混合計量用組合せ秤では、第１の混合比率でミックス計量された被計量物と第２の混合比率でミックス計量された被計量物とを交互に各包装機へ投入するために、設定手段としての操作設定表示部１１では、運転開始前に、次のような設定が行なわれる。
【００４３】
すなわち、操作設定表示部１１では、第１の品種Ａについては、目標組合せ重量を、第１の混合比率に対応する第１の目標組合せ重量と第２の混合比率に対応する第２の目標組合せ重量との２つ設定する。例えば、第１の品種Ａの目標組合せ重量として第１の目標組合せ重量Ｔａと第２の目標組合せ重量（Ｔａ−α）とを設定する。ここで、αは、第１の品種Ａの被計量物の単体重量の整数倍、例えば１倍の重量またはそれに近い重量とするのが好ましい。これによって、第２の目標組合せ重量（Ｔａ−α）は、第１の目標組合せ重量Ｔａに比べて第１の品種Ａの個数が、例えば、１個少ない重量に相当することになる。操作設定表示部１１では、第１の品種Ａの目標組合せ重量に対する許容範囲を設定し、更に、第１，第２の両品種Ａ，Ｂの被計量物の組合せ重量を合計した全体についての目標組合せ重量Ｔｔと、その許容範囲とを設定する。
【００４４】
制御装置１０では、運転中に、第１の品種Ａの目標組合せ重量を、第１の目標組合せ重量Ｔａと第２の目標組合せ重量（Ｔａ−α）とに交互に切換えて組合せ演算を行って被計量物を排出すべき計量ホッパ５の組合せである第１，第２の排出組合せをそれぞれ求める。このとき、目標組合せ重量の切換えによって生じる重量の差を、第２の品種Ｂの目標組合せ重量を変更して補正し、第１，第２の両品種Ａ，Ｂの被計量物の組合せ重量を合計した組合せ重量が、全体についての前記目標組合せ重量Ｔｔの許容範囲である所定重量範囲となるようにしている。
【００４５】
この第１の品種Ａの目標組合せ重量を、交互に切換える組合せ演算の一例を以下に説明する。
【００４６】
この組合せ演算では、例えば、先ず、第１の品種Ａの目標組合せ重量が、第１の目標組合せ重量Ｔａである第１の混合比率に対応する第１の排出組合せを選択する。
【００４７】
この第１の排出組合せを選択する組合せ演算では、第１の品種Ａの被計量物が供給される第１のグループＧ１の計量ホッパ５の被計量物の重量を種々に組合せ、組合せた組合せ重量と第１の目標組合せ重量Ｔａとの差の絶対値が最も小さく、第１の品種Ａの目標組合せ重量の許容範囲内にある第１の品種Ａについての計量ホッパ５の組合せを選択する。
【００４８】
次に、両品種Ａ，Ｂの被計量物の組合せ重量を合計した全体についての目標組合せ重量Ｔｔから、前記選択した第１の品種Ａの被計量物の組合せ重量を減算した重量を、第２の品種Ｂの目標組合せ重量とする。そして、第２の品種Ｂの被計量物が供給される第２のグループＧ２の計量ホッパ５の被計量物の重量を種々に組合せ、組合せた組合せ重量と前記第２の品種Ｂの目標組合せ重量との差の絶対値が最も小さく、全体についての許容範囲である所定重量範囲となる第２の品種Ｂについての計量ホッパ５の組合せを選択する。
【００４９】
このようにして各品種Ａ，Ｂについてそれぞれ選択した計量ホッパ５の組合せが、第１の排出組合せとなる。この第１の排出組合せの計量ホッパ５の被計量物を、第１の排出組合せに対応する、例えば内側シュート７へ排出する。これによって、第１の混合比率で第１，第２の品種Ａ，Ｂの被計量物が混合された第１の排出組合せの被計量物が、内側シュート７に対応する一方の包装機で包装され、第１の混合比率の小袋が生産される。
【００５０】
第１の排出組合せを選択した後の組合せ演算では、第１の品種の目標組合せ重量が、第２の目標組合せ重量（Ｔａ−α）である第２の混合比率に対応する第２の排出組合せを選択する。
【００５１】
この第２の排出組合せを選択する組合せ演算では、第１の品種Ａの被計量物が供給される第１のグループＧ１の計量ホッパ５の被計量物の重量を種々に組合せ、組合せた組合せ重量と第２の目標組合せ重量（Ｔａ−α）との差の絶対値が最も小さく、第１の品種Ａの目標組合せ重量の許容範囲内にある第１の品種Ａについての計量ホッパ５の組合せを選択する。
【００５２】
次に、両品種Ａ，Ｂの被計量物の組合せ重量を合計した全体についての目標組合せ重量Ｔｔから、前記選択した第１の品種Ａの被計量物の組合せ重量を減算した重量を、第２の品種Ｂの目標組合せ重量とする。そして、第２の品種Ｂの被計量物が供給される第２のグループＧ２の計量ホッパ５の被計量物の重量を種々に組合せ、組合せた組合せ重量と第２の品種Ｂの目標組合せ重量との差の絶対値が最も小さく、全体についての許容範囲である所定重量範囲となる第２の品種Ｂの計量ホッパ５の組合せを選択する。
【００５３】
このようにして各品種Ａ，Ｂについてそれぞれ選択した計量ホッパ５の組合せが、第２の排出組合せとなる。この第２の排出組合せの計量ホッパ５の被計量物を、第２の排出組合せに対応する、外側シュート８へ排出する。これによって、第２の混合比率で第１，第２の品種Ａ，Ｂの被計量物が混合された第２の排出組合せの被計量物が、外側シュート８に対応する他方の包装機で包装され、第２の混合比率の小袋が生産される。
【００５４】
このようにして、第１の混合比率で第１，第２の品種Ａ，Ｂの被計量物が混合された第１の排出組合せの被計量物（第１の混合比率でミックス計量された被計量物）と、第２の混合比率で第１,第２の品種Ａ，Ｂの被計量物が混合された第２の排出組合せ被計量物（第２の混合比率でミックス計量された被計量物）とが、交互に内側シュート７と外側シュート８とに排出されることになり、各包装機によって、第１の混合比率の小袋と第２の混合比率の小袋とが交互に生産されることになる。
【００５５】
上記の組合せ演算の方法は、一例を示すものであって、各排出組合せを求めるための組合せ演算は、上記に限らず、複数の品種の被計量物をミックス計量する場合の他の公知の組合せ演算方法を用いることができる。
【００５６】
図３は、この実施形態の混合計量用組合せ秤の全体の動作を説明するためのフローチャートである。
【００５７】
先ず、制御装置１０は、各品種Ａ，Ｂの被計量物を分散フィーダ２に供給する供給装置の駆動停止を制御して、分散フィーダ２上への各品種Ａ，Ｂの被計量物の供給量を制御する供給装置制御を行う（ステップｓ１）。
【００５８】
次に、分散フィーダ２の駆動を制御して被計量物を周囲へ分散させてリニアフィーダ４へ供給する分散フィーダ制御を行う（ステップｓ２）。
【００５９】
次に、リニアフィーダ４の駆動を制御して、空の供給ホッパ３に対応するリニアフィーダ４を振動させて被計量物を当該空の供給ホッパ３に供給するリニアフィーダ制御を行う（ステップｓ３）。
【００６０】
次に、ステップｓ４の供給ホッパ制御に移る。この供給ホッパ制御では、空の計量ホッパ５に対応する供給ホッパ３の投入用のゲートを開放して、被計量物を当該空の計量ホッパ５へ投入し、ステップｓ５へ移る。
【００６１】
ステップｓ５では、計量ホッパ５に被計量物が投入されると、対応する重量センサ６によって、前記計量ホッパ５に投入された被計量物の重量を計量し、計量値を制御装置１０に取込む計量制御を行う。
【００６２】
次に、各グループＧ１，Ｇ２の計量ホッパ５に投入されている各品種Ａ，Ｂの被計量物の重量に基づいて、上述のように組合せ演算を行い、第１の排出組合せまたは第２の排出組合せの選択を行う（ステップｓ６）。
【００６３】
その後、各包装機からの排出命令信号の入力に応じて混合比率に応じた排出経路を選択するように制御し（ステップｓ７）、計量ホッパ５のゲートを制御して、第１の排出組合せまたは第２の排出組合せの被計量物を、内側シュート７または外側シュート８へ排出する計量ホッパ制御を行い（ステップｓ８）、ステップｓ１に戻る。以下、上述と同様の計量サイクルを繰り返すことによって、第１の排出組合せまたは第２の排出組合せの被計量物が、対応する各包装機へそれぞれ排出され、各包装機によって、第１の混合比率の小袋と第２の混合比率の小袋とが交互に生産される。
【００６４】
なお、上記ステップｓ６において、組合せ演算が成立せず、第１の排出組合せまたは第２の排出組合せが得られないときには、従来と同様に、例えば、所定の計量ホッパ５から被計量物を、包装機外へ強制的に排出させる。
【００６５】
図４は、図３のステップｓ６の組合せ演算処理の詳細を示すフローチャートである。
【００６６】
先ず、第１の品種Ａの目標組合せ重量が、第１の目標組合せ重量Ｔａである第１の混合比率に対応する第１の組合せ命令フラグがオンしているか否かを判断し（ステップｓ６０１）、オンしているときには、第１の品種Ａについて、その目標組合せ重量を、第１の目標組合せ重量Ｔａとして組合せ演算を行う（ステップｓ６０２）。この組合せ演算では、上述のように、第１の品種Ａの被計量物が供給される第１のグループＧ１の計量ホッパ５の被計量物の重量を種々に組合せ、組合せた組合せ重量と第１の目標組合せ重量Ｔａとの差の絶対値が最も小さく、第１の品種Ａの目標組合せ重量の許容範囲内にある第１の品種Ａについての計量ホッパ５の組合せを選択する。
【００６７】
次に、第２の品種Ｂの目標組合せ重量を、両品種Ａ，Ｂの被計量物の組合せ重量を合計した全体についての目標組合せ重量Ｔｔから、ステップｓ６０２で選択した第１の品種Ａの被計量物の組合せ重量を減算した重量とし、第２の品種Ｂについて組合せ演算を行う（ステップｓ６０３）。この組合せ演算では、上述のように、第２の品種Ｂの被計量物が供給される第２のグループＧ２の計量ホッパ５の被計量物の重量を種々に組合せ、組合せた組合せ重量と第２の品種Ｂの目標組合せ重量との差の絶対値が最も小さく、全体についての許容範囲である所定重量範囲となる第２の品種Ｂについて計量ホッパ５の組合せを選択する。
【００６８】
上記ステップｓ６０２で選択された第１の品種Ａの被計量物が供給されている第１のグループＧ１の計量ホッパ５と、ステップｓ６０３で選択された第２の品種Ｂの被計量物が供給されている第２のグループＧ２の計量ホッパ５とを合わせた計量ホッパ５の組合せが、第１の混合比率に対応する第１の排出組合せとなる。
【００６９】
次に、第１の組合せ命令フラグをオフし（ステップｓ６０４）、第２の混合比率に対応する第２の組合せ命令フラグをオンして終了する（ステップｓ６０５）。
【００７０】
ステップｓ６０１において、第１の組合せ命令フラグがオンしていないときには、第２の組合せ命令フラグがオンしているか否かを判断し（ステップｓ６０６）、オンしているときには、第１の品種Ａについて、その目標組合せ重量を、第２の目標組合せ重量（Ｔａ−α）として組合せ演算を行う（ステップｓ６０７）。この組合せ演算では、上述のように、第１の品種Ａの被計量物が供給される第１のグループＧ１の計量ホッパ５の被計量物の重量を種々に組合せ、組合せた組合せ重量と第２の目標組合せ重量（Ｔａ−α）との差の絶対値が最も小さく、第１の品種Ａの目標組合せ重量の許容範囲内にある第１の品種Ａについての計量ホッパ５の組合せを選択する。
【００７１】
次に、第２の品種Ｂの目標組合せ重量を、両品種Ａ，Ｂの被計量物の組合せ重量を合計した全体についての目標組合せ重量Ｔｔから、ステップｓ６０７で選択した第１の品種Ａの被計量物の組合せ重量を減算した重量とし、第２の品種Ｂについて組合せ演算を行う（ステップｓ６０８）。この組合せ演算では、上述のように、第２の品種Ｂの被計量物が供給される第２のグループＧ２の計量ホッパ５の被計量物の重量を種々に組合せ、組合せた組合せ重量と第２の品種Ｂの目標組合せ重量との差の絶対値が最も小さく、全体についての許容範囲である所定重量範囲となる第２の品種Ｂについて計量ホッパ５の組合せを選択する。
【００７２】
上記ステップｓ６０７で選択された第１の品種Ａの被計量物が供給されている第１のグループＧ１の計量ホッパ５と、ステップｓ６０８で選択された第２の品種Ｂの被計量物が供給されている第２のグループＧ２の計量ホッパ５とを合わせた計量ホッパ５の組合せが、第２の混合比率に対応する第２の排出組合せとなる。
【００７３】
次に、第２の組合せ命令フラグをオフし（ステップｓ６０９）、第１の混合比率に対応する第１の組合せ命令フラグをオンして終了する（ステップｓ６１０）。
【００７４】
以上のようにして、第１，第２の組合せ命令に応じて、第１の混合比率に対応する第１の排出組合せの被計量物または第２の混合比率に対応する第２の排出組合せの被計量物を交互に選択する。
【００７５】
このようにして選択された被計量物の排出は、図５のフローチャートに示すように行われる。
【００７６】
すなわち、第１の排出経路としての内側シュート７に対応する包装機から排出命令信号の入力があったか否かを判断し（ステップｓ７０１）、排出命令信号の入力があったときには、第１の混合比率に対応する第１の排出組合せの計量ホッパ５の被計量物を、内側シュート７へ排出し、対応する包装機へ投入して終了する（ステップｓ７０２）。包装機では、第１の混合比率の被計量物が包装されて小袋が生産される。
【００７７】
ステップｓ７０１において、第１の排出経路に対応する包装機から排出命令信号の入力がないときには、第２の排出経路としての外側シュート８に対応する包装機から排出命令信号の入力があったか否かを判断し（ステップｓ７０３）、排出命令信号の入力があったときには、第２の混合比率に対応する第２の排出組合せの被計量物を、外側シュート８へ排出し、対応する包装機へ投入して終了する（ステップｓ７０４）。包装機では、第２の混合比率の被計量物が包装されて小袋が生産される。
【００７８】
以上のように、混合計量用組合せ秤の運転を一旦停止させてプログラムの設定変更をする必要なく、すなわち、稼働率を低下させることなく、第１の混合比率でミックス計量された被計量物と第２の混合比率でミックス計量された被計量物とを交互に各包装機に投入して、各混合比率の小袋を交互に生産することができる。
【００７９】
これによって、各混合比率の小袋を所定数纏めて大袋の製品を生産するような場合には、各包装機で交互に生産される混合比率の異なる小袋を纏めて大袋の製品を生産することが可能となり、例えば、予め第１の混合比率の小袋を所要数生産し、その後、運転を一旦停止したプログラムの設定を変更して第２の混合比率の小袋を所要数生産した後に、各混合比率の小袋を纏めて大袋を生産するのに比べて、効率的に大袋の製品を生産することができる。
【００８０】
（実施形態２）
上述の実施形態では、２品種Ａ，Ｂの被計量物のミックス計量に適用したけども、本発明は、３品種以上の被計量物のミックス計量にも同様に適用できるものである。
【００８１】
図６（ａ）は、本発明の他の実施形態に係る混合計量用組合せ秤を側方から見た一部断面の概略模式図であり、図６（ｂ）は、同組合せ秤の集合シュート及び計量ホッパを上方から見た概略模式図であり、図６（ｃ）は、同組合せ秤の分散フィーダを上方から見た概略模式図であり、上述の図１に対応する部分には、同一の参照符号を付してその説明を省略する。
【００８２】
この実施形態の混合計量用組合せ秤は、３つの第１〜第３の品種Ａ，Ｂ，Ｃの被計量物をミックス計量するものであり、図６（ｂ）に示すように、円状に配置された各計量ホッパ５が、品種Ａ，Ｂ，Ｃ毎に第１〜第３の各グループＧ１〜Ｇ３にグループ分けされている。
【００８３】
これらの各グループＧ１〜Ｇ３の計量ホッパ５に、被計量物が、品種毎にそれぞれ供給されるように、分散フィーダ２上の領域が、図６（ｃ）に示されるように、仕切り板１２によって、３つの第１〜第３の領域２ａ〜２ｃに区画されており、第１〜第３の各領域２ａ〜２ｃに各品種Ａ〜Ｃの被計量物がそれぞれ供給される。
【００８４】
分散フィーダ２の第１の領域２ａに供給された第１の品種Ａの被計量物は、リニアフィーダ４及び供給ホッパ３を介して第１のグループＧ１の計量ホッパ５に供給され、分散フィーダ２の第２の領域２ｂに供給された第２の品種Ｂの被計量物は、リニアフィーダ４及び供給ホッパ３を介して第２のグループＧ２の計量ホッパ５に供給され、分散フィーダ２の第３の領域２ｃに供給された第３の品種Ｃの被計量物は、リニアフィーダ４及び供給ホッパ３を介して第３のグループＧ３の計量ホッパ５に供給される。
【００８５】
この実施形態においても、第１の品種Ａについては、目標組合せ重量として第１の目標組合せ重量Ｔａと第２の目標組合せ重量（Ｔａ−α）とを設定する。また、第１の品種Ａの目標組合せ重量に対する許容範囲を設定する。第２の品種Ｂについては、目標組合せ重量とその許容範囲とを設定する。更に、３つの品種Ａ〜Ｃの被計量物の組合せ重量を合計した全体についての目標組合せ重量Ｔｔと、その許容範囲とを設定する。
【００８６】
この実施形態でも、第１の品種Ａの目標組合せ重量が、第１の目標組合せ重量Ｔａである第１の混合比率の第１の排出組合せと、第１の品種Ａの目標組合せ重量が、第２の目標組合せ重量（Ｔａ−α）である第２の混合比率の第２の排出組合せとを交互に選択する。
【００８７】
第１の排出組合せを選択する組合せ演算では、第１の品種Ａの被計量物が供給される第１のグループＧ１の計量ホッパ５の被計量物の重量を種々に組合せ、組合せた組合せ重量と第１の目標組合せ重量Ｔａとの差の絶対値が最も小さく、第１の品種Ａの目標組合せ重量の許容範囲内にある第１の品種Ａについての計量ホッパ５の組合せを選択する。
【００８８】
次に、第１の目標組合せ重量Ｔａと選択した第１の品種の組合せ重量との差を補償するように第２の品種Ｂの目標組合せ重量を補正し、第２の品種Ｂの被計量物が供給される第２のグループＧ２の計量ホッパ５の被計量物の重量を種々に組合せ、組合せた組合せ重量と補正後の第２の品種Ｂの目標組合せ重量との差の絶対値が最も小さく、第２の品種Ｂの目標組合せ重量の許容範囲内にある第２の品種Ｂについての計量ホッパ５の組合せを選択する。
【００８９】
次に、３つの品種Ａ〜Ｃの被計量物の組合せ重量を合計した全体についての目標組合せ重量Ｔｔから、前記選択した第１の品種Ａの被計量物の組合せ重量と前記選択した第２の品種Ｂの被計量物の組合せ重量とを減算した重量を、第３の品種Ｃの目標組合せ重量とする。そして、第３の品種Ｂの被計量物が供給される第３のグループＧ３の計量ホッパ５の被計量物の重量を種々に組合せ、組合せた組合せ重量と第３の品種Ｃの目標組合せ重量との差の絶対値が最も小さく、全体についての許容範囲である所定重量範囲となる第３の品種Ｃについて計量ホッパ５の組合せを選択する。
【００９０】
このようにして各品種Ａ〜Ｃについてそれぞれ選択した計量ホッパ５の組合せが、第１の排出組合せとなる。この第１の排出組合せの計量ホッパ５の被計量物を、単一の集合シュート１３へ排出する。これによって、第１の混合比率で第１〜第３の品種Ａ〜Ｃの被計量物が混合された第１の排出組合せの被計量物が、集合シュート１３の排出口１３ａを介して包装機に投入され、包装機で包装されて第１の混合比率の小袋が生産される。
【００９１】
第１の排出組合せを選択した後の組合せ演算では、第１の品種Ａの目標組合せ重量が、第２の目標組合せ重量（Ｔ−α）である第２の混合比率の第２の排出組合せを選択する。
【００９２】
第２の排出組合せを選択する組合せ演算では、第１の品種Ａの被計量物が供給される第１のグループＧ１の計量ホッパ５の被計量物の重量を種々に組合せ、組合せた組合せ重量と第２の目標組合せ重量（Ｔａ−α）との差の絶対値が最も小さく、第１の品種Ａの目標組合せ重量の許容範囲内にある第１の品種Ａについての計量ホッパ５の組合せを選択する。
【００９３】
次に、第２の目標組合せ重量（Ｔａ−α）と選択した第１の品種Ａの組合せ重量との差を補償するように第２の品種Ｂの目標組合せ重量を補正し、第２の品種Ｂの被計量物が供給される第２のグループＧ２の計量ホッパ５の被計量物の重量を種々に組合せ、組合せた組合せ重量と補正後の第２の品種Ｂの目標組合せ重量との差の絶対値が最も小さく、第２の品種Ｂの目標組合せ重量の許容範囲内にある第２の品種Ｂについての計量ホッパ５の組合せを選択する。
【００９４】
次に、３つの品種Ａ〜Ｃの被計量物の組合せ重量を合計した全体についての目標組合せ重量Ｔｔから、前記選択した第１の品種Ａの被計量物の組合せ重量と前記選択した第２の品種Ｂの被計量物の組合せ重量とを減算した重量を、第３の品種Ｃの目標組合せ重量とする。そして、第３の品種Ｂの被計量物が供給される第３のグループＧ３の計量ホッパ５の被計量物の重量を種々に組合せ、組合せた組合せ重量と第３の品種Ｃの目標組合せ重量との差の絶対値が最も小さく、全体についての許容範囲である所定重量範囲となる第３の品種Ｃについて計量ホッパ５の組合せを選択する。
【００９５】
このようにして各品種Ａ〜Ｃについてそれぞれ選択した計量ホッパ５の組合せが、第２の排出組合せとなる。この第２の排出組合せの計量ホッパ５の被計量物を、単一の集合シュート１３へ排出する。これによって、第２の混合比率で第１〜第３の品種Ａ〜Ｃの被計量物が混合された第２の排出組合せの被計量物が、集合シュート１３の排出口１３ａを介して包装機に投入され、包装機で包装されて第２の混合比率の小袋が生産される。
【００９９】
上述の各実施形態では、組合せ重量について説明したけれども、本発明は、組合せ重量に限らず、組合せ個数にも同様に適用できるものである。
【０１００】
例えば、２つの第１，第２の品種Ａ、Ｂの被計量物をミックス計量する場合には、第１の品種Ａについては、目標組合せ個数として、第１の混合比率に対応する第１の目標組合せ個数と第２の混合比率に対応する第２の目標組合せ個数との２つ設定する。また、第１の品種Ａの目標組合せ個数に対する許容個数範囲を設定すると共に、第１の品種Ａの被計量物の単体重量を設定する。更に、第１，第２の両品種Ａ，Ｂの被計量物の組合せ個数を合計した全体についての目標組合せ個数と、その許容個数範囲とを設定すると共に、第２の品種の被計量物の単体重量を設定する。
【０１０１】
第１の品種Ａの単体重量で、第１の品種Ａの被計量物が供給される計量ホッパ５の被計量物の重量を除算することによって計量ホッパ５に供給されている第１の品種Ａの個数を算出する。同様に、第２の品種Ｂの単体重量で、第２の品種Ｂの被計量物が供給される計量ホッパ５の被計量物の重量を除算することによって計量ホッパ５に供給されている第２の品種Ｂの個数を算出する。
【０１０２】
運転中に、第１の品種Ａの目標組合せ個数を、第１の目標組合せ個数と第２の目標組合せ個数とに交互に切換えて組合せ演算を行う。このとき、目標組合せ個数の切換えによって生じる個数の差を、第２の品種Ｂの目標組合せ個数を変更して補正し、第１，第２の両品種Ａ，Ｂの被計量物の組合せ個数を合計した組合せ個数が、全体についての目標組合せ個数の許容個数範囲となるようにすればよい。
【０１０３】
この個数の組合せ計量では、目標組合せ重量等を併せて設定し、個数についての上記組合せ条件に加えて、組合せ重量等についての組合せ条件を併用するようにしてもよい。
【産業上の利用可能性】
【０１０４】
本発明は、複数の異なる品種の被計量物のミックス計量に有用であり、特に小袋入りの大袋の製品を生産するときに有用である。
【符号の説明】
【０１０５】
２    分散フィーダ
３    供給ホッパ
５    計量ホッパ
６    重量センサ
７    内側シュート
８    外側シュート
１０  制御装置
１１  操作設定表示部
【図１】
0005731269.tif 000002
【図２】
0005731269.tif 000003
【図３】
0005731269.tif 000004
【図４】
0005731269.tif 000005
【図５】
0005731269.tif 000006
【図６】
0005731269.tif 000007
【図７】
0005731269.tif 000008